【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
リピート対象領域の画像を印刷出力する際の出力サイズを指定するサイズ指定手段と、
前記リピート対象領域の画像を前記指定された出力サイズとなるように変倍して、指定された用紙サイズ内に繰り返しレイアウトすることにより、リピートレイアウト処理後の出力画像を作成するリピートレイアウト手段と、
前記リピートレイアウト処理後の出力画像を用いて用紙への印刷処理を実行するように制御する印刷手段と、
を備え、
前記リピートレイアウト手段により第１のリピート対象領域の画像を変倍して繰り返しレイアウトすることにより作成される第１の出力画像を用いて、前記印刷手段により用紙の表面に対して印刷処理を実行するように制御し、且つ、前記リピートレイアウト手段により第２のリピート対象領域の画像を変倍して繰り返しレイアウトすることにより作成される第２の出力画像を用いて、前記印刷手段により前記用紙の裏面に対して印刷処理するように制御するため、前記サイズ指定手段においてユーザにより所定の指示が選択された場合、前記第１のリピート対象領域の画像を変倍する際に用いられる出力サイズと、前記第２のリピート対象領域の画像を変倍する際に用いられる出力サイズは、同じ出力サイズである、ことを特徴とする画像処理装置。
【請求項２】
スキャン画像に対して画像解析処理を実行することにより原稿領域を検出し、当該検出した原稿領域に基づいて傾き補正を実行することにより傾き補正後の画像を得る傾き補正手段を、更に備え、
前記第１のリピート対象領域の画像と前記第２のリピート対象領域の画像は、前記傾き補正手段により得られた少なくとも１つの傾き補正後の画像において特定される領域の画像である、ことを特徴とする請求項１に記載の画像処理装置。
【請求項３】
前記リピートレイアウト手段は、
前記第１のリピート対象領域の画像を前記指定された出力サイズとなるように変倍して、前記指定された用紙サイズ内に繰り返しレイアウトする際、当該繰り返しレイアウトされる複数の前記第１のリピート対象領域の画像の全体における中心が、当該用紙サイズの中心位置に合うようにレイアウトすることにより、リピートレイアウト処理後の第１の出力画像を作成し、
前記第２のリピート対象領域の画像を前記指定された出力サイズとなるように変倍して、前記指定された用紙サイズ内に繰り返しレイアウトする際、当該繰り返しレイアウトされる複数の前記第２のリピート対象領域の画像の全体における中心が、当該用紙サイズの中心位置に合うようにレイアウトすることにより、リピートレイアウト処理後の第２の出力画像を作成する、
ことを特徴とする請求項１または２に記載の画像処理装置。
【請求項４】
前記サイズ指定手段は、あらかじめ出力サイズが登録された第１のボタンを表示することが可能であり、
当該表示した第１のボタンがユーザにより選択された場合、前記リピートレイアウト手段は、前記リピート対象領域の画像を、当該選択されたボタンに対して登録されている出力サイズとなるように変倍して、前記指定された用紙サイズ内に繰り返しレイアウトすることにより、リピートレイアウト処理後の出力画像を作成する、ことを特徴とする請求項１乃至３のいずれか１項に記載の画像処理装置。
【請求項５】
前記サイズ指定手段は、前回と同じ出力サイズを指定するための第２のボタンを表示することが可能であり、
前記第１のリピート対象領域の画像を変倍して繰り返しレイアウトすることにより作成された前記第１の出力画像を用いて前記印刷手段が前記用紙の表面への印刷処理を実行するように制御した後に、前記第２のボタンが前記ユーザにより選択された場合、前記リピートレイアウト手段は、前記第１のリピート対象領域の画像を変倍する際に用いた出力サイズを、前記第２のリピート対象領域の画像を変倍する際の出力サイズとして用いて前記第２の出力画像を作成することを特徴とする請求項１乃至４のいずれか１項に記載の画像処理装置。
【請求項６】
前記第１のリピート対象領域の画像を変倍して繰り返しレイアウトすることにより作成された前記第１の出力画像を用いて前記印刷手段が前記用紙の表面への印刷処理を実行するように制御した後に、裏面の印刷を続けて実行するかどうかを確認する確認画面を表示する確認手段を、更に有し、
前記確認画面で裏面の印刷を続けて実行する旨が指示された場合、前記リピートレイアウト手段は、前記第１のリピート対象領域の画像を変倍する際に用いた出力サイズを、前記第２のリピート対象領域の画像を変倍する際の出力サイズとして用いて前記第２の出力画像を作成する、ことを特徴とする請求項１乃至４のいずれか１項に記載の画像処理装置。
【請求項７】
コンピュータを、請求項１乃至６のいずれか１項に記載の画像処理装置の各手段として機能させるためのプログラム。
【請求項８】
請求項７に記載のプログラムを格納した、コンピュータ読み取り可能な記憶媒体。
【請求項９】
リピート対象領域の画像を印刷出力する際の出力サイズを指定するサイズ指定ステップと、
前記リピート対象領域の画像を前記指定された出力サイズとなるように変倍して、指定された用紙サイズ内に繰り返しレイアウトすることにより、リピートレイアウト処理後の出力画像を作成するリピートレイアウトステップと、
前記リピートレイアウト処理後の出力画像を用いて用紙への印刷処理を実行するように制御する印刷ステップと、
を備え、
前記リピートレイアウトステップで第１のリピート対象領域の画像を変倍して繰り返しレイアウトすることにより作成される第１の出力画像を用いて、前記印刷ステップで用紙の表面に対して印刷処理を実行するように制御し、且つ、前記リピートレイアウトステップで第２のリピート対象領域の画像を変倍して繰り返しレイアウトすることにより作成される第２の出力画像を用いて、前記印刷ステップで前記用紙の裏面に対して印刷処理するように制御するため、前記サイズ指定ステップにおいてユーザにより所定の指示が選択された場合、前記第１のリピート対象領域の画像を変倍する際に用いられる出力サイズと、前記第２のリピート対象領域の画像を変倍する際に用いられる出力サイズは、同じ出力サイズである、ことを特徴とする画像処理方法。
【手続補正２】
【補正対象書類名】明細書
【補正対象項目名】０００６
【補正方法】変更
【補正の内容】
【０００６】
上記課題を解決するために、本発明の画像処理装置は、リピート対象領域の画像を印刷出力する際の出力サイズを指定するサイズ指定手段と、前記リピート対象領域の画像を前記指定された出力サイズとなるように変倍して、指定された用紙サイズ内に繰り返しレイアウトすることにより、リピートレイアウト処理後の出力画像を作成するリピートレイアウト手段と、前記リピートレイアウト処理後の出力画像を用いて用紙への印刷処理を実行するように制御する印刷手段と、を備え、前記リピートレイアウト手段により第１のリピート対象領域の画像を変倍して繰り返しレイアウトすることにより作成される第１の出力画像を用いて、前記印刷手段により用紙の表面に対して印刷処理を実行するように制御し、且つ、前記リピートレイアウト手段により第２のリピート対象領域の画像を変倍して繰り返しレイアウトすることにより作成される第２の出力画像を用いて、前記印刷手段により前記用紙の裏面に対して印刷処理するように制御するため、前記サイズ指定手段においてユーザにより所定の指示が選択された場合、前記第１のリピート対象領域の画像を変倍する際に用いられる出力サイズと、前記第２のリピート対象領域の画像を変倍する際に用いられる出力サイズは、同じ出力サイズである、ことを特徴とする。